(57)【特許請求の範囲】
【請求項１】
バネを介して開閉可能に取り付けられた筒状の一対のハンドグリップを備えてなるライト付き握力強化具であって、前記一対のハンドグリップの片方のライト側はバネ側においてねじ込み式にて着脱可能に取り付けられており、
かつ着脱可能とした筒状ハンドグリップ内には電池が収納可能で、該電池により点灯するＬＥＤライトをライト側の筒状ハンドグリップの先端に保持するとともに、前記ＬＥＤライトをＯＮ−ＯＦＦするメインスイッチを前記ライト側の筒状ハンドグリップの側面に取り付けるとともに、接触による点灯／消灯を行うサブスイッチをハンドグリップの先端側に装着し、前記ライト側の筒状ハンドグリップをライト付き握力強化具に装着して握力強化具として使用するとともに、前記ライト側の筒状ハンドグリップをねじ込み部から取り外してライトとしても使用できるようにしたことを特徴とするライト付き握力強化具。
【請求項２】
前記ライト側の筒状ハンドグリップのねじ込み部が、その先端に保護キャップを取り付けられてなることを特徴とする請求項１に記載のライト付き握力強化具。
【請求項３】
前記ＬＥＤライトをＯＮ−ＯＦＦするメインスイッチが、ライトの強・弱切り替え機能もしくは点灯・消灯切り替え機能をも有していることを特徴とする請求項１または２に記載のライト付き握力強化具。
【請求項４】
前記バネを介して開閉可能に取り付けられた筒状の一対のハンドグリップを備えてなるライト付き握力強化具において、前記一対のハンドグリップの他方の側は中空部に予備の電池や医薬品その他の予備品を収納可能としたことを特徴とする請求項１ないし３のいずれかに記載のライト付き握力強化具。
【発明の詳細な説明】
【技術分野】
【０００１】
本発明は、ライト付き握力強化具に関するものである。
【背景技術】
【０００２】
従来から、様々な運動に用いられる握力強化具には、当該握力強化具の構成部品の一部を他の用途に利用する握力強化具がある。このような握力強化具としては、特開２０１０−１８７８７６号公報（特許文献１参照）のような、発電機能を持つ握力強化具を挙げることができる。
【０００３】
このような、発電機能を持つ握力強化具としては、太陽電池を握力強化具に取り付けることも考えられる（例えば特開２００８−３０２９１３号公報、特許文献２参照）。
【先行技術文献】
【特許文献】
【０００４】
【特許文献１】特開２０１０−１８７８７６号公報
【特許文献２】特開２００８−３０２９１３号公報
【発明の概要】
【発明が解決しようとする課題】
【０００５】
しかしながら、商用電源から電線を介して電力が供給される握力強化具は、当該握力強化具と商用電源とを接続する電線によって、当該握力強化具の可搬性を低下させるという問題があり、例えば商用電源が供給されていない屋外で使用することができなかった。
【０００６】
また、発電機能を持つ握力強化具について、例えば、発電機を適用できる握力強化具は、発電機のコイルに回転力を与える回転構造を有する器具に限定されるため、汎用性が低かった。あるいは、太陽電池を備えた握力強化具は、暗い場所で使用する場合に発電力が低下するため、長時間の使用が困難になることや、太陽電池の材料費が高いことから、製造コストが高くなるという問題があった。
【０００７】
そこで本発明は、上記に鑑みてなされたものであって、可搬性や汎用性を向上させるとともに、製造コストを低減することができ、かつライトという強力なパーツを備えた握力強化具を提供することを目的とする。
【課題を解決するための手段】
【０００８】
上述した課題を解決し、目的を達成するため、請求項１に記載のライト付き握力強化具は、バネを介して開閉可能に取り付けられた筒状の一対のハンドグリップを備えてなるライト付き握力強化具であって、前記一対のハンドグリップの片方のライト側はバネ側においてねじ込み式にて着脱可能に取り付けられており、かつ着脱可能とした筒状ハンドグリップ内には電池が収納可能で、該電池により点灯するＬＥＤライトをライト側の筒状ハンドグリップの先端に保持するとともに、前記ＬＥＤライトをＯＮ−ＯＦＦするメインスイッチを前記ライト側の筒状ハンドグリップの側面に取り付けるとともに、接触による点灯／消灯を行うサブスイッチをハンドグリップの先端側に装着し、前記ライト側の筒状ハンドグリップをライト付き握力強化具に装着して握力強化具として使用するとともに、前記ライト側の筒状ハンドグリップをねじ込み部から取り外してライトとしても使用できるようにしたことを特徴とするものである。
【０００９】
請求項２に記載のライト付き握力強化具は、前記ライト側の筒状ハンドグリップのねじ込み部が、その先端に保護キャップを取り付けられてなることをも特徴とするものである。
【００１０】
請求項３に記載のライト付き握力強化具は、前記ＬＥＤライトをＯＮ−ＯＦＦするメインスイッチが、ライトの強・弱切り替え機能もしくは点灯・消灯切り替え機能をも有していることをも特徴とするものである。
【００１１】
請求項４に記載のライト付き握力強化具は、前記バネを介して開閉可能に取り付けられた筒状の一対のハンドグリップを備えてなるライト付き握力強化具において、前記一対のハンドグリップの他方の側は中空部に予備の電池や医薬品その他の予備品を収納可能としたことをも特徴とするものである。
【発明の効果】
【００１２】
請求項１に記載のライト付き握力強化具によれば、一対のハンドグリップの片方のライト側はバネ側においてねじ込み式にて着脱可能に取り付けられており、かつ着脱可能とした筒状ハンドグリップ内には電池が収納可能で、該電池により点灯するＬＥＤライトをライト側の筒状ハンドグリップの先端に保持するとともに、前記ＬＥＤライトをＯＮ−ＯＦＦするメインスイッチを前記ライト側の筒状ハンドグリップの側面に取り付けるとともに、接触による点灯／消灯を行うサブスイッチをハンドグリップの先端側に装着し、前記ライト側の筒状ハンドグリップをライト付き握力強化具に装着して握力強化具として使用するとともに、前記ライト側の筒状ハンドグリップをねじ込み部から取り外してライトとしても使用できるようにしたものであって、前記一対のハンドグリップの片方のライト側はバネ側においてねじ込み式にて着脱可能に取り付けられており、かつ着脱可能とした筒状ハンドグリップ内には電池が収納可能で、該電池により点灯するＬＥＤライトをライト側の筒状ハンドグリップの先端に保持するとともに、前記ＬＥＤライトをＯＮ−ＯＦＦするメインスイッチを前記ライト側の筒状ハンドグリップの側面に取り付けるとともに、接触による点灯／消灯を行うサブスイッチをハンドグリップの先端側に装着し、前記ライト側の筒状ハンドグリップをライト付き握力強化具に装着して握力強化具として使用するものである。
さらに、前記ライト側の筒状ハンドグリップをねじ込み部から取り外してライトとしても使用できるようにしたものであることから、非常に便利なライト付き握力強化具を提供することができるとともに、ライト付き握力強化具の製造コストを大幅に低減することができる。
【００１３】
また、請求項２に記載のライト付き握力強化具によれば、前記ライト側の筒状ハンドグリップのねじ込み部が、その先端に保護キャップを取り付けられており、前記ライト側の筒状ハンドグリップをねじ込み部から取り外してライトとして使用する場合に無理のない収納が可能となる。
【００１４】
また、請求項３に記載のライト付き握力強化具によれば、前記ＬＥＤライトをＯＮ−ＯＦＦするメインスイッチが、ライトの強・弱切り替え機能もしくは点灯・消灯切り替え機能を有するものであって、非常に高機能のライトとして使用することが可能となる。
【００１５】
また、請求項４に記載のライト付き握力強化具によれば、前記バネを介して開閉可能に取り付けられた筒状の一対のハンドグリップを備えてなるライト付き握力強化具において、前記一対のハンドグリップの他方の側は中空部に予備の電池や医薬品その他の予備品を収納可能としたので、その利便性を一層向上させることができる。
【図面の簡単な説明】
【００１６】
【図１】本発明のライト付き握力強化具の実施の形態を示す概略斜視図である。
【図２】前記ライト側の筒状ハンドグリップのねじ込み部が、その先端に保護キャップを取り付ける段階を示す部分切断概略斜視図である。
【図３】前記一対のハンドグリップの他方の側を中空部に予備の電池や医薬品その他の予備品を収納可能とした例を示す概略斜視図である。
【図４】前記ライト側の筒状ハンドグリップをねじ込み部から取り外してライトとしても使用できるようにした状態を示す概略斜視図である。
【発明を実施するための形態】
【００１７】
以下に添付図面を参照して、本発明に係るライト付き握力強化具の各実施の形態について詳細に説明する。
図１に示す第１実施例のライト付き握力強化具１０は、一対のハンドグリップ１１，１２の間に取り付けたバネ１３と、該バネ１３の開放限度を規制するＳ字ワイヤ１３ａを備えている。前記バネ１３は、弾力性を利用してエネルギーを吸収するためのものである。このバネ１３の中央部は螺旋状に形成されており、当該バネ１３の両端部は直線状に形成されている。このバネ１３に用いられる具体的な材質は任意であるが、例えば、鋼などの金属材料が用いられる。
前記一対のハンドグリップ１１，１２は筒状に構成されており、該筒状のハンドグリップ１１，１２の片方のライト側はバネ１３側においてねじ込み式にて着脱可能に取り付けられており、かつ着脱可能とした筒状ハンドグリップ１１内には電池（ボタン電池等、図示省略）が収納可能で、該電池により点灯するＬＥＤライト１５をライト１５側の筒状ハンドグリップ１１の先端に保持している。
前記一対のハンドグリップ１１，１２に用いられる具体的な材質は任意であるが、例えば、鋼、アルミニウム等の金属材料やプラスチック材等の樹脂材料等が用いられる。
【００１８】
そして、前記ＬＥＤライト１５をＯＮ−ＯＦＦするメインスイッチ１６を前記ライト側の筒状ハンドグリップ１１の側面に取り付けるとともに、接触による点灯／消灯を行うサブスイッチ１７を該ハンドグリップ１１の先端側に装着したものである。このようにして、前記ライト側の筒状ハンドグリップ１１をライト付き握力強化具１０に装着して握力強化具として使用するとともに、前記ライト側の筒状ハンドグリップ１１をねじ込み部１８から取り外してライトとしても使用できるようにしたものである。したがって、非常に便利なライト付き握力強化具１０を提供することができるとともに、該ライト付き握力強化具１０の製造コストを大幅に低減することができる。また、図４に示すように、前記ライト側の筒状ハンドグリップ１１をねじ込み部１８から取り外してライトとして使用する場合にも、前記ライト付き握力強化具１０の無理のない収納が可能となる。
【００１９】
なお、前記ライト付き握力強化具１０は、図２に示すように、前記ライト側の筒状ハンドグリップ１１のねじ込み部１８が、その先端には保護キャップ１９を取り付けられている。このようにしておけば、前記ライト側の筒状ハンドグリップ１１をねじ込み部１８から取り外してライトとして使用する場合にも、前記ねじ込み部１８にゴミが入ったりすることを防止でき、前記筒状ハンドグリップ１１を再度使用するときにも何も問題なく使用することができる。
【００２０】
また前記ライト付き握力強化具１０は、前記ＬＥＤライト１５をＯＮ−ＯＦＦするメインスイッチ１６が、該ライト１５の光の強・弱切り替え機能もしくは点灯・消灯切り替え機能をも有していることが望ましい。これによって暗闇での歩行時や案内図を読みたいときなどの種々の用途に使用することが可能となる
【００２１】
前記ライト付き握力強化具１０は、前記バネ１３を介して開閉可能に取り付けられた筒状の一対のハンドグリップ１１，１２を備えているが、前記一対のハンドグリップ１１，１２の他方の側の筒状ハンドグリップ１２は、図３に示すように、その中空部１２ａに予備の電池や医薬品その他の予備品を収納可能としてある。
このように、前記一対のハンドグリップ１１，１２の他方の側の筒状ハンドグリップ１２は中空部１２ａに予備の電池や医薬品その他の予備品を収納可能としたので、その利便性を一層向上させることができる。
【産業上の利用可能性】
【００２２】
この発明は、可搬性や汎用性を向上させるとともに、ライトという強力なパーツを備えた握力強化具を提供することが可能であり、しかも製造コストを低減することに有用である。
またライト付き握力強化具として体力増進のみならず、緊急時のライトアップ用の機器として身近におけて非常に有効なものとなる。
【符号の説明】
【００２３】
１１，１２  ハンドグリップ
１２ａ  中空部
１３  バネ
１３ａ  Ｓ字ワイヤ
１５  ＬＥＤライト
１６  メインスイッチ
１７  サブスイッチ
１８  ねじ込み部
１９  保護キャップ
【要約】
【課題】
可搬性や汎用性を向上させるとともに、製造コストを低減することができ、かつライトという強力なパーツを備えた握力強化具を提供することを目的とする。
【解決手段】
一対のハンドグリップの片方のライト側はバネ側においてねじ込み式にて着脱可能に取り付けられており、
かつ着脱可能とした筒状ハンドグリップ内には電池が収納可能で、該電池により点灯するＬＥＤライトをライト側の筒状ハンドグリップの先端に保持するとともに、前記ＬＥＤライトをＯＮ−ＯＦＦするメインスイッチを前記ライト側の筒状ハンドグリップの側面に取り付けるとともに、接触による点灯／消灯を行うサブスイッチをハンドグリップの先端側に装着し、前記ライト側の筒状ハンドグリップをライト付き握力強化具に装着して握力強化具として使用できるようにしたことを特徴とするライト付き握力強化具。
【選択図】図１【図１】
0006802411.tif 000002
【図２】
0006802411.tif 000003
【図３】
0006802411.tif 000004
【図４】
0006802411.tif 000005